(57)【要約】      （修正有）【課題】ホーム基地局と移動端末との間の信号が、基地局と移動端末との間の信号と干渉するのを避ける。【解決手段】第１の基地局によって転送される信号の送信電力及び／又は該第１の基地局に転送される信号の送信電力を調整するための方法であって、該第１の基地局は第２の基地局のセル内に位置し、第１の基地局は、第２の基地局に第１のメッセージを転送し、第１の基地局と第２の基地局との間の経路を表す情報を含むメッセージを受信し、第２の基地局によって移動端末に転送されるメッセージを受信し、少なくとも１つのメッセージに含まれる情報が第２の基地局のサービスエリアを求めることを可能とし、両方の情報から測定基準を計算し、計算された測定基準に従って、第１の基地局によって、少なくとも１つの移動端末に転送される信号の送信電力、及び／又は少なくとも１つの移動端末によって第１の基地局に転送される信号の送信電力を調整する方法に関する。【選択図】図１
2010183572.tif 000002
【特許請求の範囲】
【請求項１】
無線インターフェースを通じて第１の基地局によって転送される信号の送信電力及び／又は該第１の基地局に転送される信号の送信電力を調整するための方法であって、前記第１の基地局は第２の基地局のセル内に位置し、該方法は、前記第１の基地局によって実行されるステップであって、
前記第１の基地局の前記無線インターフェースを通じて、前記第２の基地局に第１のメッセージを転送するステップであって、該第１のメッセージはランダムアクセスメッセージである、転送するステップと、
前記第１のメッセージに応答して、前記第１の基地局の前記無線インターフェースを通じて、前記第１の基地局と前記第２の基地局との間の経路を表す情報を含むメッセージを受信するステップと、
前記無線インターフェースを通じて、前記第２の基地局によって移動端末に転送されるメッセージを受信するステップであって、少なくとも１つのメッセージに含まれる情報が前記第２の基地局のサービスエリアを求めることを可能とする、受信するステップと、
両方の情報から測定基準を計算するステップと、
前記計算された測定基準に従って、前記第１の基地局によってサービス提供される少なくとも１つの移動端末に前記無線インターフェースを通じて前記第１の基地局によって転送される信号の送信電力、及び／又は前記第１の基地局によってサービス提供される少なくとも１つの移動端末によって前記第１の基地局に転送される信号の送信電力を調整するステップと
を含むことを特徴とする、方法。
【請求項２】
前記第１の基地局と前記第２の基地局との間の経路を表す情報は、該第１の基地局と該第２の基地局とを隔てる距離を表すタイミングアドバンス情報であることを特徴とする、請求項１に記載の方法。
【請求項３】
前記第１の基地局と前記第２の基地局との間の経路を表す情報は、電力制御情報であり、該電力制御情報は、前記第１の基地局が前記第２の基地局に信号を転送するときに用いるべき電力、及び／又は前記第２の基地局によって前記第１の基地局に転送された信号の送信電力を指示することを特徴とする、請求項１又は請求項２に記載の方法。
【請求項４】
前記第１の基地局と前記第２の基地局との間の経路を表す情報は、前記第２の基地局に信号を転送するために前記第１の基地局によって用いられるべきであり、且つ／又は前記第１の基地局に信号を転送するために前記第２の基地局によって用いられた、変調及び符号化方式であることを特徴とする、請求項１から請求項３までのいずれか１項に記載の方法。
【請求項５】
前記第１の基地局と前記第２の基地局との間の経路を表す情報は、ダウンリンクチャネルの資源の数であり、該資源は、前記第２の基地局によって前記第１の基地局に向けられ、該ダウンリンクチャネルは、前記第１の基地局及び／又は少なくとも１つの移動端末にデータを転送するために前記第２の基地局によって用いられるチャネルであることを特徴とする、請求項１から請求項４までのいずれか１項に記載の方法。
【請求項６】
前記第１の基地局と前記第２の基地局との間の経路を表す情報は、ダウンリンクチャネルの少なくとも１つの資源に含まれ、該少なくとも１つの資源は、前記第２の基地局によって前記第１の基地局に向けられ、該ダウンリンクチャネルは、前記第１の基地局及び／又は少なくとも１つの移動端末にデータを転送するために前記第２の基地局によって用いられるチャネルであり、前記第１の基地局と前記第２の基地局との間の経路を表す情報は、前記ダウンリンクチャネルの他の資源において転送される信号の平均電力に対する前記少なくとも１つの資源において転送される信号の受信電力であることを特徴とする、請求項１から請求項５までのいずれか１項に記載の方法。
【請求項７】
前記第２の基地局のサービスエリアを求めることを可能にする情報を含むメッセージは、前記第２の基地局によってサービス提供される１つの移動端末に前記第２の基地局によって転送されるメッセージであることを特徴とする、請求項１から請求項６までのいずれか１項に記載の方法。
【請求項８】
前記第２の基地局のサービスエリアを求めることを可能にする、少なくとも１つのメッセージに含まれる情報は、前記第２の基地局によってサービス提供される１つの移動端末と前記第２の基地局とを隔てる距離を表すタイミングアドバンス情報であることを特徴とする、請求項７に記載の方法。
【請求項９】
前記第２の基地局のサービスエリアを求めることを可能にする、少なくとも１つのメッセージに含まれる情報は、電力制御情報であり、該電力制御情報は、前記第２の基地局によってサービス提供される移動端末が該第２の基地局に信号を転送するときに用いるべき電力、及び／又は前記第２の基地局が該第２の基地局によってサービス提供される移動端末に信号を転送したときに用いた電力を指示することを特徴とする、請求項７又は請求項８に記載の方法。
【請求項１０】
前記第２の基地局のサービスエリアを求めることを可能にする、少なくとも１つのメッセージに含まれる情報は、前記第２の基地局によってサービス提供される移動端末によって前記第２の基地局に信号を転送するために用いられるべきであり、且つ／又は前記第２の基地局によってサービス提供される移動端末に信号を転送するために該第２の基地局によって用いられた、変調及び符号化方式であることを特徴とする、請求項８から請求項１０までのいずれか１項に記載の方法。
【請求項１１】
前記第２の基地局のサービスエリアを求めることを可能にする、少なくとも１つのメッセージに含まれる情報は、前記第２の基地局によってサービス提供される移動端末に前記第２の基地局によってブロードキャストされるシステム情報に対応する制御情報であることを特徴とする、請求項１から請求項６までのいずれか１項に記載の方法。
【請求項１２】
前記第２の基地局のサービスエリアを求めることを可能にする、少なくとも１つのメッセージに含まれる情報は、移動端末にシステム情報をブロードキャストするために前記第２の基地局によって用いられた変調及び符号化方式であり、該変調及び符号化方式は前記制御情報において指示されることを特徴とする、請求項１１に記載の方法。
【請求項１３】
前記第２の基地局のサービスエリアを求めることを可能にする、少なくとも１つのメッセージに含まれる情報は、前記制御情報がブロードキャストされるダウンリンクチャネルの資源の数であり、該ダウンリンクチャネルは、前記第１の基地局及び／又は少なくとも１つの移動端末にデータを転送するために前記第２の基地局によって用いられるチャネルであることを特徴とする、請求項１１に記載の方法。
【請求項１４】
無線インターフェースを通じて第１の基地局によって転送される信号の送信電力及び／又は該第１の基地局に転送される信号の送信電力を調整するための装置であって、前記第１の基地局は第２の基地局のセル内に位置し、該送信電力を調整するための装置は、該第１の基地局に含まれ、
前記第１の基地局の前記無線インターフェースを通じて、前記第２の基地局に第１のメッセージを転送する手段であって、該第１のメッセージはランダムアクセスメッセージである、転送する手段と、
前記第１のメッセージに応答して、前記第１の基地局の前記無線インターフェースを通じて、前記第１の基地局と前記第２の基地局との間の経路を表す情報を含むメッセージを受信する手段と、
前記無線インターフェースを通じて、前記第２の基地局によって移動端末に転送されるメッセージを受信する手段であって、少なくとも１つのメッセージに含まれる情報が前記第２の基地局のサービスエリアを求めることを可能とする、受信する手段と、
両方の情報から測定基準を計算する手段と、
前記計算された測定基準に従って、前記第１の基地局によってサービス提供される少なくとも１つの移動端末に前記無線インターフェースを通じて前記第１の基地局によって転送される信号の送信電力、及び／又は前記第１の基地局によってサービス提供される少なくとも１つの移動端末によって前記第１の基地局に転送される信号の送信電力を調整する手段と
を備えることを特徴とする、装置。
【請求項１５】
プログラマブルデバイス内に直接ロードすることができるコンピュータプログラムであって、該コンピュータプログラムは、該コンピュータプログラムがプログラマブルデバイスにおいて実行されるときに、請求項１〜１３に記載の方法のステップを実施するための命令又はコードの一部を含む、前記プログラマブルデバイス内に直接ロードすることができるコンピュータプログラム。
【発明の詳細な説明】
【技術分野】
【０００１】
本発明は包括的には、無線インターフェースを通じて基地局によって転送される信号の送信電力、及び／又は基地局によってサービス提供される少なくとも１つの移動端末によって、基地局に転送される信号の送信電力を調整するための方法及び装置に関する。
【背景技術】
【０００２】
無線セルラー通信ネットワークは広く展開されているが、無線セルラー通信ネットワークの基地局によってカバーされないエリアが依然として存在する。
【０００３】
たとえば、基地局及び／又は移動端末によって放射される信号が過度に減衰すると、建物の中に位置する移動端末は無線セルラー通信ネットワークにアクセスできない場合もある。
【０００４】
今日、複数の解決策が提案されている。ホーム基地局又はフェムト基地局のような特定の基地局が、建物内のサービスエリアを提供する。
【０００５】
ホーム基地局又はフェムト基地局が提供するサービスエリアは限られている。サービスエリアの縮小及びスペクトル効率の増加を繰り返すことが原因となって、セル間干渉が主な問題になっている。セル間干渉コーディネーション（ＩＣＩＣ）技法はセル間干渉の問題を軽減することを目的とする。一般的に、移動端末は、隣接する基地局及び／又はホーム基地局から受けている干渉を、現時点でサービス提供を受けている基地局に報告する。また、基地局は、効率的にＩＣＩＣを実施できるようにするために、互いにメッセージをやり取りする。しかしながら、基地局間メッセージは、それらの基地局間でのリンクの確立を必要とする。場合によっては、基地局とホーム基地局との間に、又はホーム基地局間に同じリンクを確立できないことがある。
【０００６】
ホーム基地局を大規模に展開することによって、１つの基地局と、その基地局のサービスエリア内に位置する全てのホーム基地局との間にそのようなリンクを有することが避けられる。リンクが存在する場合であっても、コアネットワークに過大な負荷がかからないようにするために、これらのリンク上のメッセージの量はできる限り少なくしなければならない。これらのホーム基地局は、基地局と強く干渉する場合があり、さらには、サービスエリアの穴を作り出す場合もある。
【０００７】
シャドーイング(shadowing)が生じない場合、干渉レベルは、基地局とホーム基地局とを隔てる距離に依存する。ダウンリンクチャネルでは、基地局とホーム基地局との距離が長いほど、基地局によってサービス提供され、且つホーム基地局の近傍に位置する移動端末が強い干渉を受けるエリアが広くなる。アップリンクチャネルの場合、基地局とホーム基地局との間の距離が短いほど、ホーム基地局によってサービス提供される移動端末が、基地局によってサービス提供される移動端末に対して引き起こす干渉が大きい。
【０００８】
シャドーイングが生じる場合、干渉レベルは、ホーム基地局と基地局との間の距離に関連するだけではない。ダウンリンクチャネルでは、干渉は、ホーム基地局付近の移動端末と基地局付近の移動端末との間のシャドーイングにも依存する。アップリンクチャネルでは、干渉は、ホーム基地局によってサービス提供される移動端末と、基地局によってサービス提供される移動端末との間のシャドーイングにも依存する。
【０００９】
これらのホーム基地局は、限られた数の移動端末だけが、それぞれの資源を通じて無線セルラー通信ネットワークにアクセスすることを可能にすることができる。ホーム基地局を通じてネットワークの資源にアクセスすることを許される移動端末は、ホーム基地局の所有者によって、若しくはネットワークによって、又はその両方によって決定される場合がある。
【００１０】
ここで、所有者は包括的な意味において理解されなければならない。所有者は、ホーム基地局の主な使用者だけとしてもよく、ホーム基地局を賃借りする人としてもよく、又は自分の家若しくは事務所内にホーム基地局を収容している人としてもよい。
【００１１】
たとえば、ホーム基地局の所有者及びその家族の移動端末だけが、そのホーム基地局を通じて無線セルラー通信ネットワークにアクセスすることができる。これらの移動端末は、そのホーム基地局と関連付けられる。
【００１２】
基地局は、それぞれの資源を通じて多数の移動端末が無線セルラー通信ネットワークにアクセスすることを可能にする。基地局を通じてネットワークの資源にアクセスすることを許される移動端末は、無線セルラー通信ネットワークのオペレータによって決定される場合がある。
【００１３】
基地局のセルは通常、ホーム基地局のセルよりもはるかに大きい。
【先行技術文献】
【特許文献】
【００１４】
【特許文献１】米国特許出願公開第２００８／１４６１５４号明細書
【特許文献２】国際公開第２００８／０９３１００号パンフレット
【特許文献３】米国特許出願公開第２００７／０４２７９９号明細書
【発明の概要】
【発明が解決しようとする課題】
【００１５】
上記の違いから、オペレータはおそらく、ホーム基地局を通るトラフィックよりも、基地局を通るトラフィックを優先させることを望む。したがって、基地局からの信号に対してホーム基地局によって引き起こされる干渉を最小限に抑えること、及び基地局によってサービス提供される移動端末からの信号に対して、ホーム基地局によってサービス提供される移動端末によって引き起こされる干渉を最小限に抑えることが優先されるべきである。
【００１６】
本発明は、ホーム基地局とそのホーム基地局によってサービス提供される移動端末との間で転送される信号が、基地局とその基地局によってサービス提供される移動端末との間で転送される信号と干渉するのを避けることを目的とする。
【００１７】
このため、本発明は、無線インターフェースを通じて第１の基地局によって転送される信号の送信電力及び／又は該第１の基地局に転送される信号の送信電力を調整するための方法であって、第１の基地局は第２の基地局のセル内に位置し、該方法は、第１の基地局によって実行されるステップであって、
第１の基地局の無線インターフェースを通じて、第２の基地局に第１のメッセージを転送するステップと、
第１の基地局の無線インターフェースを通じて、第１の基地局と第２の基地局との間の経路を表す情報を含むメッセージを受信するステップと、
無線インターフェースを通じて、第２の基地局によって移動端末に転送されるメッセージを受信するステップであって、少なくとも１つのメッセージに含まれる情報が第２の基地局のサービスエリアを求めることを可能とする、受信するステップと、
両方の情報から測定基準を計算するステップと、
計算された測定基準に従って、第１の基地局によってサービス提供される少なくとも１つの移動端末に無線インターフェースを通じて第１の基地局によって転送される信号の送信電力、及び／又は第１の基地局によってサービス提供される少なくとも１つの移動端末によって第１の基地局に転送される信号の送信電力を調整するステップと
を含むことを特徴とする、方法に関する。
【００１８】
本発明はまた、無線インターフェースを通じて第１の基地局によって転送される信号の送信電力及び／又は該第１の基地局に転送される信号の送信電力を調整するための装置であって、第１の基地局は第２の基地局のセル内に位置し、該装置は、該第１の基地局に含まれ、
第１の基地局の無線インターフェースを通じて、第２の基地局に第１のメッセージを転送する手段と、
第１の基地局の無線インターフェースを通じて、第１の基地局と第２の基地局との間の経路を表す情報を含むメッセージを受信する手段と、
無線インターフェースを通じて、第２の基地局によって移動端末に転送されるメッセージを受信する手段であって、少なくとも１つのメッセージに含まれる情報が第２の基地局のサービスエリアを求めることを可能とする、受信する手段と、
両方の情報から測定基準を計算する手段と、
計算された測定基準に従って、第１の基地局によってサービス提供される少なくとも１つの移動端末に無線インターフェースを通じて第１の基地局によって転送される信号の送信電力、及び／又は第１の基地局によってサービス提供される少なくとも１つの移動端末によって第１の基地局に転送される信号の送信電力を調整する手段と
を備えることを特徴とする、装置に関する。
【００１９】
したがって、第２の基地局と第２の基地局によってサービス提供される移動端末との間で転送される信号に対して第１の基地局によって引き起こされる干渉は、低減される。
【００２０】
さらに、第２の基地局と第２の基地局によってサービス提供される移動端末との間で転送される信号に対して、第１の基地局によってサービス提供される移動端末によって引き起こされる干渉も低減される。
【００２１】
特定の特徴によれば、第１の基地局と第２の基地局との間の経路を表す情報は、該第１の基地局と該第２の基地局とを隔てる距離を表すタイミングアドバンス情報である。
【００２２】
したがって、第１の基地局は、タイミングアドバンス情報から距離を非常に正確に求めるができる。実際には、タイミングアドバンス情報は、通常、第１の基地局と第２の基地局との間の往復遅延に等しいか又は極めて近く、それゆえ、光の伝搬速度を用いて第１の基地局と第２の基地局との間の経路距離に直接結び付けられる。
【００２３】
特定の特徴によれば、第１の基地局と第２の基地局との間の経路を表す情報は電力制御情報であり、該電力制御情報は、第１の基地局が第２の基地局に信号を転送するときに用いるべき電力及び／又は第２の基地局によって第１の基地局に転送された信号の送信電力を指示する。
【００２４】
したがって、第１の基地局は、この情報から、第１の基地局と第２の基地局との間の経路利得に関する情報を抽出することができる。実際には、示される電力が高いほど、経路利得は低い。送信及び受信アンテナパターン並びにシャドーイングを含む、全ての伝搬特性がこの経路利得に含まれる。
【００２５】
特定の特徴によれば、第１の基地局と第２の基地局との間の経路を表す情報は、第２の基地局に信号を転送するために第１の基地局によって用いられるべきであり、且つ／又は第１の基地局に信号を転送するために第２の基地局によって用いられた、変調及び符号化方式である。
【００２６】
したがって、第１の基地局は、この情報から、第１の基地局と第２の基地局との間の経路利得に関する情報を抽出することができる。実際には、指示される変調及び符号化方式のスペクトル効率が低いほど、経路利得が低い。送信及び受信アンテナパターン並びにシャドーイングも含む、全ての伝搬特性がこの経路利得に含まれる。
【００２７】
特定の特徴によれば、第１の基地局と第２の基地局との間の経路を表す情報はダウンリンクチャネルの資源の数であり、該資源は第２の基地局によって第１の基地局に向けられ、該ダウンリンクチャネルは、第１の基地局及び／又は少なくとも１つの移動端末にデータを転送するために第２の基地局によって用いられるチャネルである。
【００２８】
したがって、第１の基地局は、この情報から、第１の基地局と第２の基地局との間の経路利得に関する情報を抽出することができる。
【００２９】
実際には、第２の基地局によって第１の基地局に向けられるダウンリンクチャネルの全ての資源において同じ情報ビットが符号化される場合には、資源の数がいくつであっても、資源の数を増やすと、結果としてスペクトル効率が低下する。したがって、資源の数が多いほど、経路利得は低い。送信及び受信アンテナパターン並びにシャドーイングも含む、全ての伝搬特性がこの経路利得に含まれる。
【００３０】
特定の特徴によれば、第１の基地局と第２の基地局との間の経路を表す情報はダウンリンクチャネルの少なくとも１つの資源に含まれ、該少なくとも１つの資源は、第２の基地局によって第１の基地局に向けられ、該ダウンリンクチャネルは、第１の基地局及び／又は少なくとも１つの移動端末にデータを転送するために第２の基地局によって用いられるチャネルであり、第１の基地局と第２の基地局との間の経路を表す情報は、ダウンリンクチャネルの他の資源において転送される信号の平均電力に対する少なくとも１つの資源において転送される信号の受信電力である。
【００３１】
したがって、第１の基地局は、この情報から、第１の基地局と第２の基地局との間の経路利得に関する情報を抽出することができる。実際には、他の資源において転送される信号の平均電力に対して少なくとも１つの資源において転送される信号の受信電力が高いほど、経路利得は低い。送信及び受信アンテナパターン並びにシャドーイングも含む、全ての伝搬特性がこの経路利得に含まれる。
【００３２】
特定の特徴によれば、第１の基地局と第２の基地局との間の経路を表す情報は、第２の基地局によって第１の基地局に向けられるダウンリンクチャネルの少なくとも１つの資源に含まれるとともに、変調及び符号化方式である。
【００３３】
したがって、第１の基地局は、この情報から、第１の基地局と第２の基地局との間の経路利得に関する情報を抽出することができる。実際には、変調及び符号化方式のスペクトル効率が低いほど、経路利得が低い。送信及び受信アンテナパターン並びにシャドーイングも含む、全ての伝搬特性がこの経路利得に含まれる。
【００３４】
特定の特徴によれば、第２の基地局のサービスエリアを求めることを可能にする情報を含むメッセージは、第２の基地局によってサービス提供される１つの移動端末に、第２の基地局によって転送されるメッセージである。
【００３５】
したがって、サービスエリアの特殊なシグナリングは不要であり、オーバーヘッドは制限される。第１の基地局が、第２の基地局によってサービス提供される１つの移動端末に第２の基地局によって転送される少なくとも１つのメッセージを、そのメッセージの元の目的以外の目的のために使用するだけである。その目的が１つの移動端末によって転送されるランダムアクセスメッセージへの応答である場合には、これらの応答の数が少ないことに起因して、そのようなメッセージを識別することは第１の基地局にとってより容易である場合がある。
【００３６】
その目的が制御シグナリングである場合には、メッセージの数は多くなり、第２の基地局のサービスエリアがさらに正確に求められる。
【００３７】
特定の特徴によれば、第２の基地局のサービスエリアを求めることを可能にする、少なくとも１つのメッセージに含まれる情報は、該第２の基地局と、第２の基地局によってサービス提供される１つの移動端末とを隔てる距離を表すタイミングアドバンス情報である。
【００３８】
したがって、オーバーヘッドは制限される。第１の基地局は正確なサービスエリア情報を抽出することができる。
【００３９】
実際には、タイミングアドバンス情報は、いずれにしても、第２の基地局によってサービス提供される異なる移動端末間のアップリンク同期を保証するために、多くのシステムにおいて必要とされる。
【００４０】
さらに、１つの移動端末のタイミングアドバンス情報は通常、第２の基地局とその移動端末との間の往復遅延に極めて近く、それゆえ、光の伝搬速度を用いて第２の基地局と移動端末との間の距離に直接結び付けられる。
【００４１】
移動端末が第２の基地局のセル境界の近くにある場合には、この距離は第２の基地局のサービスエリアを表す。
【００４２】
特定の特徴によれば、第２の基地局のサービスエリアを求めることを可能にする少なくとも１つのメッセージに含まれる情報は、電力制御情報であり、該電力制御情報は、第２の基地局によってサービス提供される移動端末が該第２の基地局に信号を転送するときに用いるべき電力、及び／又は第２の基地局が該第２の基地局によってサービス提供される移動端末に信号を転送したときに用いた電力を指示する。
【００４３】
したがって、オーバーヘッドは制限される。第１の基地局は、シャドーイングの影響を含むサービスエリア情報を抽出することができる（ここで、本発明人らは、サービスエリアの概念を、基地局からセル境界までの距離よりも拡張する；ここでは、サービスエリアはセル内の最も低い経路利得を意味する）。実際には、第１の基地局は、この情報から、第２の基地局と移動端末との間の経路利得に関する情報を抽出することができる。指示される電力が高いほど、第２の基地局と移動端末との間の経路利得は低い。送信及び受信アンテナパターン並びにシャドーイングも含む、全ての伝搬特性がこの経路利得に含まれる。移動端末が第２の基地局のセル境界の近くにある場合には、この経路利得は、第２の基地局のサービスエリアを表す。
【００４４】
特定の特徴によれば、第２の基地局のサービスエリアを求めることを可能にする少なくとも１つのメッセージに含まれる情報は、該第２の基地局に信号を転送するために該第２の基地局によってサービス提供される移動端末によって用いられるべきであり、且つ／又は該第２の基地局によってサービス提供される移動端末に信号を転送するために該第２の基地局によって用いられた、変調及び符号化方式である。
【００４５】
したがって、オーバーヘッドは制限され、第１の基地局は、シャドーイングの影響を含む、サービスエリア情報を抽出することができる。
【００４６】
実際には、第１の基地局は、この情報から、第２の基地局と移動端末との間の経路利得に関する情報を抽出することができる。指示される変調及び符号化方式のスペクトル効率が低いほど、第２の基地局と移動端末との間の経路利得は低い。送信及び受信アンテナパターン並びにシャドーイングも含む、全ての伝搬特性がこの経路利得に含まれる。移動端末が第２の基地局のセル境界の近くにある場合には、この経路利得は、第２の基地局のサービスエリアを表す。
【００４７】
特定の特徴によれば、第２の基地局のサービスエリアを求めることを可能にする少なくとも１つのメッセージに含まれる情報は、第２の基地局によってサービス提供される移動端末に第２の基地局によってブロードキャストされるシステム情報に対応する制御情報である。
【００４８】
したがって、第２の基地局によってサービス提供される全ての移動端末がシステム情報を正確に復号化しなければならないとき、システム情報に対応して含まれる制御情報は、セル境界にある移動端末を含む全ての移動端末にとって適している。
【００４９】
したがって、この情報はセルサービスエリア（cell-covarage）を表す。サービスエリア情報を入手するために、数多くの移動端末に関する制御情報を読み取る代わりに、本発明人らは、システム情報に関連する制御情報から直接セルサービスエリアを表す情報を得ることができる。その際、第１の基地局のタスクが簡略化される。
【００５０】
特定の特徴によれば、第２の基地局のサービスエリアを求めることを可能にする少なくとも１つのメッセージに含まれる情報は、移動端末にシステム情報をブロードキャストするために第２の基地局によって用いられた変調及び符号化方式であり、該変調及び符号化方式は制御情報において指示される。
【００５１】
したがって、変調及び符号化方式を、セルサービスエリアを表す情報として用いることができる。
【００５２】
オーバーヘッドが制限され、第１の基地局は、シャドーイングの影響を含むサービスエリア情報を抽出することができる。
【００５３】
指示される変調及び符号化方式のスペクトル効率が低いほど、第２の基地局と移動端末との間の経路利得は低い。送信及び受信アンテナパターン並びにシャドーイングも含む、全ての伝搬特性がこの経路利得に含まれる。移動端末が第２の基地局のセル境界の近くにある場合には、この経路利得は、第２の基地局のサービスエリアを表す。
【００５４】
第２の基地局によってサービス提供される全ての移動端末がシステム情報を正確に復号化しなければならないとき、変調及び符号化方式は、セル境界にあるか、又は良くない経路利得を経験する移動端末を含む全ての移動端末にとって適している。
【００５５】
特定の特徴によれば、第２の基地局のサービスエリアを求めることを可能にする少なくとも１つのメッセージに含まれる情報は、制御情報がブロードキャストされるダウンリンクチャネルの資源の数であり、該ダウンリンクチャネルは、第１の基地局及び／又は少なくとも１つの移動端末にデータを転送するために第２の基地局によって用いられるチャネルである。
【００５６】
したがって、第１の基地局は、この情報から、第２の基地局のサービスエリアに関する情報を抽出することができる。
【００５７】
実際には、第２の基地局によって全ての移動端末に向けられるダウンリンクチャネルの複数の資源において同じ制御情報ビットが符号化される場合には、資源の数がいくつであっても、資源の数を増やすと、結果としてスペクトル効率が低下する。したがって、資源の数が多いほど、経路利得は低い。送信及び受信アンテナパターン並びにシャドーイングを含む、全ての伝搬特性がこの経路利得に含まれる。
【００５８】
第２の基地局によってサービス提供される全ての移動端末がシステム情報を正確に復号化しなければならないとき、制御チャネルがブロードキャストされるダウンリンクチャネルの資源の数は、セル境界にある移動端末を含む全ての移動端末にとって適している。
【００５９】
さらに別の態様によれば、本発明は、プログラマブルデバイスに直接ロード可能とすることができるコンピュータプログラムに関し、それらのコンピュータプログラムは、プログラマブルデバイスにおいて実行されるときに、本発明による方法のステップを実施するための命令又はコードの一部を含む。
【００６０】
そのコンピュータプログラムに関連する特徴及び利点は、本発明による方法及び装置に関連して上記で述べられたものと同じであるので、ここでは繰り返されない。
【００６１】
本発明の特徴は、一例の実施形態に関する以下の説明を読むことによってさらに明らかになる。その説明を、添付の図面を参照しながら示す。
【図面の簡単な説明】
【００６２】
【図１】本発明が実施される無線セルラー通信ネットワークを表す図である。
【図２】本発明が実施されるホーム基地局の構成を表す図である。
【図３】本発明の第１の実現形態による、ホーム基地局によって実行されるアルゴリズムの第１の例を開示する図である。
【図４】本発明の実現形態による、ホーム基地局によって実行されるアルゴリズムの第２の例を開示する図である。
【発明を実施するための形態】
【００６３】
図１は、本発明が実施される無線セルラー通信ネットワークを表す。
【００６４】
図１において、無線セルラー通信ネットワークの２つの基地局ＢＳ及びＨＢＳ、並びに４つの移動端末ＭＴ１、ＭＴ２、ＭＴ３及びＭＴ４が示される。
【００６５】
２つの基地局ＢＳ１及びＨＢＳ並びに４つの移動端末ＭＴ１、ＭＴ２、ＭＴ３及びＭＴ４だけが示されるが、さらに多くの数の基地局ＢＳ１及び／若しくはＨＢＳ、且つ／又はさらに多くの数の移動端末ＭＴが存在するときに本発明が機能することを理解することができる。
【００６６】
より詳細には、本発明は、基地局ＨＢＳが複数の基地局ＢＳ１のセル内に位置する場合にも適合する。
【００６７】
基地局ＢＳ１は、たとえば、無線セルラー通信ネットワークのマクロ基地局であり、基地局ＨＢＳは、たとえば、フェムト基地局又はピコ基地局とも呼ばれるホーム基地局である。
【００６８】
ホーム基地局ＨＢＳは、たとえば、家にあり、ホーム基地局ＨＢＳに関連付けられる移動端末ＭＴが無線セルラー通信ネットワークにアクセスすることを可能にすることができる。
【００６９】
たとえば、移動端末ＭＴ１〜ＭＴ３は、基地局ＢＳ１によってサービス提供され、移動端末ＭＴ４は、ホーム基地局ＨＢＳによってサービス提供される。移動端末ＭＴ４はホーム基地局ＨＢＳに関連付けられる。
【００７０】
たとえば、ホーム基地局ＨＢＳが移動端末ＭＴ４の所有者に属するときに、又はホーム基地局ＨＢＳが移動端末ＭＴ４の所有者の家族又は友人に属するときに、ホーム基地局ＨＢＳ及び移動端末ＭＴ４は関連付けられる。
【００７１】
移動端末ＭＴ１〜ＭＴ４が基地局ＢＳ又はホーム基地局ＨＢＳによってサービス提供されるとき、その移動端末は、遠隔通信装置との通信を受信するか、又は確立するか、又は継続することができる。
【００７２】
基地局ＢＳ１は、エリアＡＲ１内に位置する移動端末ＭＴによって転送される信号を受信することができる。基地局ＢＳ１は、エリアＡＲ１内に位置する移動端末ＭＴが受信し、処理することができる信号を転送する。エリアＡＲ１は、基地局ＢＳ１のセルである。
【００７３】
ホーム基地局ＨＢＳは、エリアＡＲ２内に位置する移動端末ＭＴが受信し、処理することができる信号を転送する。
【００７４】
エリアＡＲ２は、ホーム基地局ＨＢＳのセルであり、エリアＡＲ１に少なくとも部分的に含まれる。
【００７５】
移動端末ＭＴ１、ＭＴ２及びＭＴ４はエリアＡＲ１及びＡＲ２内に位置する。
【００７６】
移動端末ＭＴ３はエリアＡＲ１内に位置する。
【００７７】
Ｐ１で示される矢印は、基地局ＢＳ１と移動端末ＭＴ１との間の無線経路を表す。Ｐ２で示される矢印は、基地局ＢＳ１と移動端末ＭＴ２との間の無線経路を表す。Ｐ３で示される矢印は、基地局ＢＳ１と移動端末ＭＴ３との間の無線経路を表す。Ｐ１２で表される矢印は、基地局ＢＳ１とホーム基地局ＨＢＳとの間の無線経路を表す。
【００７８】
本発明によれば、ホーム基地局ＨＢＳは、
ホーム基地局ＨＢＳの無線インターフェース２０５を通じて、基地局ＢＳ１に第１のメッセージを転送すること、
ホーム基地局ＨＢＳの無線インターフェース２０５を通じて、ホーム基地局ＨＢＳと基地局ＢＳ１との間の経路を表す情報を含むメッセージを受信すること、
無線インターフェース２０５を通じて、基地局ＢＳ１によって移動端末ＭＴに転送されるメッセージの受信を検出することであって、少なくとも１つのメッセージに含まれる情報が第２の基地局ＢＳ１のサービスエリアを求めることを可能とする、検出すること、
両方の情報から測定基準(a metric)を計算すること、
計算された測定基準に従って、第１の基地局によってサービス提供される少なくとも１つの移動端末に無線インターフェースを通じて第１の基地局によって転送される信号の送信電力、及び／又は第１の基地局によってサービス提供される少なくとも１つの移動端末によって第１の基地局に転送される信号の送信電力を調整すること
によって、セル間干渉コーディネーション手順を実行する。
【００７９】
図２は、本発明が実施されるホーム基地局の構成を表す図である。
【００８０】
ホーム基地局ＨＢＳは、たとえば、バス２０１によって互いに接続される構成要素、及び図３又は図４において開示されるようなプログラムによって制御されるプロセッサ２００からなる構成を有する。
【００８１】
バス２０１は、プロセッサ２００を、読出し専用メモリＲＯＭ２０２、ランダムアクセスメモリＲＡＭ２０３、無線インターフェース２０５及びネットワークインターフェース２０６にリンクする。
【００８２】
メモリ２０３は、変数、及び図３又は図４において開示されるようなアルゴリズムに関連するプログラムの命令を受信するように意図されるレジスタを含む。
【００８３】
プロセッサ２００は、ネットワークインターフェース２０６の動作及び無線インターフェース２０５の動作を制御する。
【００８４】
読出し専用メモリ２０２は、図３又は図４において開示されるようなアルゴリズムに関連するプログラムの命令を含み、それらの命令は、ホーム基地局ＨＢＳが起動されるときに、ランダムアクセスメモリ２０３に転送される。
【００８５】
ホーム基地局ＨＢＳは、ネットワークインターフェース２０６を通じて通信ネットワークに接続されることができる。たとえば、ネットワークインターフェース２０６は、ＤＳＬ（デジタル加入者線）モデム、又はＩＳＤＮ（統合サービスデジタル網）インターフェース等である。ネットワークインターフェース２０６を通じて、ホーム基地局ＨＢＳは、無線セルラー通信ネットワークのコアネットワークにメッセージを転送することができる。
【００８６】
無線インターフェース２０５及びネットワークインターフェース２０６は、移動端末ＭＴが遠隔通信装置との通信を確立するか、又は受信するときに、無線セルラー通信ネットワークにアクセスするために移動端末ＭＴによって用いられるホーム基地局の資源である。
【００８７】
無線インターフェース２０５は、ホーム基地局ＨＢＳによって転送される信号の送信電力、又はホーム基地局ＨＢＳによってサービス提供される移動端末によってホーム基地局ＨＢＳに転送される信号の送信電力を、セル間干渉コーディネーション（ＩＣＩＣ）手順に従って調整する手段を備える。
【００８８】
図３は、本発明による、ホーム基地局によって実行されるアルゴリズムの第１の例を開示する。
【００８９】
より正確には、本アルゴリズムはホーム基地局ＨＢＳのプロセッサ２００によって実行される。
【００９０】
本アルゴリズムは、ホーム基地局ＨＢＳが起動されるときに、若しくはコアネットワークが本アルゴリズムの実行を要求するときに実行される場合があるか、又は周期的に実行される。
【００９１】
ホーム基地局ＨＢＳは、限られた移動端末送信及び受信機能を有し、それらの機能によって、ホーム基地局ＨＢＳが基地局ＢＳ１からの応答を少なくとも入手するまで、ランダムアクセス手順を実行できるようにする。
【００９２】
通常、ランダムアクセス手順は、ランダムアクセス手順を実行するために移動端末ＭＴによってランダムに選び出される一時識別子ＴＵＥＩＤに基づく。この一時識別子は、ランダムアクセス識別子、又はランダムアクセス無線ネットワーク一時的識別子（ＲＡ−ＲＮＴＩ）と呼ばれる場合もある。ランダムアクセス手順を実行するために、ホーム基地局ＨＢＳは、移動端末ＭＴとして、ＴＵＥＩＤを選び出す。
【００９３】
ＵＥＩＤ、すなわちユーザ装置識別子(User Equipment Identifier)が、基地局ＢＳ１のセルＡＲ１又はホーム基地局ＨＢＳのセルＡＲ２内に位置する移動端末ＭＴ毎に、基地局ＢＳ１又はホーム基地局ＨＢＳによって決定される。ＵＥＩＤは、基地局ＢＳ１のセルＡＲ１又はホーム基地局ＨＢＳのセルＡＲ２内に位置する移動端末ＭＴを一意に識別する。
【００９４】
ＴＵＥＩＤは、移動端末ＭＴが基地局ＢＳ又はホーム基地局ＨＢＳによってサービスを受けようとするときに、限られた数の既知の識別子の中から移動端末ＭＴによってランダムに選択される。ＴＵＥＩＤは、ランダムアクセス競合が生じる可能性が解消され、基地局ＢＳ１によって有効なＵＥＩＤが決定されるまで用いられる。
【００９５】
ステップＳ３００において、プロセッサ２００は、ＴＵＥＩＤ情報を含む物理ランダムアクセスチャネル（ＰＲＡＣＨ）についてのランダムアクセスメッセージを基地局ＢＳ１に無線インターフェース２０５を通じて転送するように命令する。ＴＵＥＩＤ情報は、ランダムアクセスメッセージを転送するために用いられる周波数／時間／符号資源によって識別されるか、又はそのメッセージに含まれるか、又はランダムアクセスメッセージ及びそのメッセージを転送するために用いられる周波数／時間／符号資源によって識別される。移動端末ＭＴによってそのようなメッセージを転送する目的は、その移動端末ＭＴが最初にランダムアクセスを試みる際に、それに対する応答において基地局ＢＳから或る情報を入手することである。この情報は、一般的に、たとえば、ランダムアクセス手順を完了するために必要とされるさらなるアップリンクメッセージを適切にスケジューリングし転送するために用いられる。
【００９６】
本発明によれば、ホーム基地局ＨＢＳは、移動端末ＭＴと同じように、ランダムアクセスメッセージを基地局ＢＳ１に転送する。これは、ホーム基地局ＨＢＳと基地局ＢＳ１との間の経路を求めることを可能にし得る情報を、応答において受信するためである。その経路は、ホーム基地局ＨＢＳと基地局ＢＳ１との間の経路距離とすることができるか、又はホーム基地局ＨＢＳと基地局ＢＳ１との間の経路利得とすることができる。
【００９７】
次のステップＳ３０１において、プロセッサ２００は、ホーム基地局ＨＢＳと基地局ＢＳ１との間の経路を求めることを可能にし得る情報の無線インターフェース２０５による受信を検出する。
【００９８】
ホーム基地局ＨＢＳと基地局ＢＳ１との間の経路を求めることを可能にし得る情報はタイミングアドバンス情報とすることができ、それはホーム基地局ＨＢＳ及び基地局ＢＳ１の往復遅延を表しており、ランダムアクセス手順を完了するために、ホーム基地局ＨＢＳが基地局ＢＳ１に転送すべきである信号に加えられなければならない。ホーム基地局ＨＢＳから基地局ＢＳ１への経路利得は、フェージング若しくはシャドーイングがない場合、又はその影響が無視される場合には、タイミングアドバンス情報から推定することができる。タイミングアドバンス情報は、ホーム基地局ＨＢＳと基地局ＢＳ１とを隔てる経路距離を表す。
【００９９】
ホーム基地局ＨＢＳと基地局ＢＳ１との間の経路を求めることを可能にし得る情報は電力制御情報とすることができ、それは、ランダムアクセス手順を完了するために、ホーム基地局ＨＢＳが基地局ＢＳ１に信号を転送するときに用いるべき電力を指示する。また、電力制御情報は、基地局ＢＳ１がホーム基地局ＨＢＳに信号を転送したときに用いられた電力も指示することができる。ホーム基地局ＨＢＳから基地局ＢＳ１までの経路利得は、その指示から推定することができる。
【０１００】
ホーム基地局ＨＢＳと基地局ＢＳ１との間の経路を求めることを可能にし得る情報は変調及び符号化方式(Modulation and Coding Scheme)（ＭＣＳ）とすることができ、それは、基地局ＢＳ１にデータを転送するために、ホーム基地局ＨＢＳによって次のアップリンクメッセージにおいて用いられるべきＭＣＳを指示する。また、ＭＣＳは、基地局ＢＳ１がホーム基地局ＨＢＳに信号を転送したときに用いられたＭＣＳを示すこともできる。ＭＣＳは、応答メッセージにおいて指示されても、指示されなくてもよい。ホーム基地局ＨＢＳから基地局ＢＳ１への経路利得は、ＭＣＳから推定することができる。
【０１０１】
ホーム基地局ＨＢＳと基地局ＢＳ１との間の経路を求めることを可能にし得る情報は、基地局ＢＳ１によってホーム基地局ＨＢＳに向けられるダウンリンクチャネルの資源の数とすることができる。
【０１０２】
ホーム基地局ＨＢＳと基地局ＢＳ１との間の経路を求めることを可能にし得る情報は、ホーム基地局ＨＢＳに向けられるダウンリンクチャネルの少なくとも１つの資源に含まれる場合があり、他の資源において転送される信号の平均電力に対する、少なくとも１つの資源において転送される信号の受信電力である。
【０１０３】
ホーム基地局ＨＢＳと基地局ＢＳ１との間の経路を求めることを可能にし得る情報は、上記の情報の組み合わせとすることができる。
【０１０４】
次のステップＳ３０２において、プロセッサ２０は、ＲＡＭメモリ２０３に、ホーム基地局ＨＢＳと基地局ＢＳ１との間の経路を求めることを可能にし得る情報を記憶するか、又はその情報から推定することができる、ホーム基地局ＨＢＳと基地局ＢＳ１との間の経路利得を記憶する。
【０１０５】
次のステップＳ３０３において、プロセッサ２００は変数ｉをヌル値に設定する。
【０１０６】
次のステップＳ３０４において、プロセッサ２００は、無線インターフェース２０５に、移動端末ＭＴによって転送されたＲＡＣＨメッセージに応答して基地局ＢＳ１によって移動端末ＭＴに転送されるＲＡＣＨ応答を探索するように命令する。
【０１０７】
無線インターフェース２０５は、移動端末ＭＴに向けられたランダムアクセス応答を検出するために、基地局ＢＳ１によって転送されるダウンリンク信号を走査する。たとえば、ランダムアクセス手順がＴＵＥＩＤに基づく場合には、ＴＵＥＩＤの数は限られるので、そのような走査は比較的簡単である。
【０１０８】
次のステップＳ３０５において、プロセッサ２００は、基地局ＢＳ１によってサービス提供される移動端末ＭＴに基地局ＢＳ１によって転送されるＲＡＣＨ応答が検出されるか否かを調べる。
【０１０９】
基地局ＢＳ１によって移動端末ＭＴに転送されるＲＡＣＨ応答が検出される場合には、プロセッサ２００はステップＳ３０６に進む。そうでない場合には、プロセッサ２００はステップＳ３０４に戻る。
【０１１０】
ステップＳ３０６において、プロセッサ２００は、ＲＡＭメモリ２０３に、ＲＡＣＨ応答に含まれる情報を記憶する。ＲＡＣＨ応答に含まれる情報は、基地局ＢＳ１のサービスエリアを求めることを可能にし得る。ＲＡＣＨ応答に含まれる情報は、基地局ＢＳ１のセルＡＲ１の半径を求めることを可能にし得るか、セルＡＲ１の境界に位置する移動端末ＭＴと基地局ＢＳ１との間の最大距離を表し得るか、且つ／又は基地局ＢＳ１のセルＡＲ１内のフェージング及びシャドーイングを含む最小経路利得を表し得る。
【０１１１】
一変形形態では、プロセッサは、ＲＡＭメモリ２０３に、この情報から推定することができる、移動端末ＭＴと基地局ＢＳ１との間の経路利得を記憶する。
【０１１２】
ＲＡＣＨ応答に含まれる、基地局ＢＳ１のサービスエリアを求めることを可能にし得る情報は、タイミングアドバンス情報とすることができ、その情報は、メッセージが向けられる移動端末ＭＴと基地局ＢＳ１との間の往復遅延を表し、ランダムアクセス手順を完了するために、メッセージが向けられる移動端末ＭＴが基地局ＢＳ１に転送すべきである信号に加えられなければならない。ホーム基地局から基地局ＢＳ１への経路利得は、フェージング又はシャドーイングがない場合には、タイミングアドバンス情報から推定することができる。タイミングアドバンス情報は、メッセージが向けられる移動端末ＭＴと基地局ＢＳ１とを隔てる距離を表す。
【０１１３】
ＲＡＣＨ応答に含まれる、基地局ＢＳ１のサービスエリアを求めることを可能にし得る情報は、電力制御情報とすることができ、その情報は、ランダムアクセス手順を完了するために、メッセージが向けられる移動端末ＭＴが基地局ＢＳ１に信号を転送するときに用いるべき電力を指示する。電力制御情報は、基地局ＢＳ１が移動端末ＭＴに信号を転送したときに用いた電力を指示することもできる。メッセージが向けられる移動端末ＭＴと基地局ＢＳ１との間の経路利得は、初期ランダムアクセスアップリンク送信電力が予め決定される場合には特に、その指示及び電力制御情報から推定することができる。
【０１１４】
ＲＡＣＨ応答に含まれる、基地局ＢＳ１のサービスエリアを求めることを可能にし得る情報は、変調及び符号化方式（ＭＣＳ）指示とすることができ、それは、メッセージが向けられる移動端末ＭＴによって転送されることになる次のアップリンクメッセージにおいて用いられるべきＭＣＳを指示する。移動端末ＭＴから基地局ＢＳ１への経路利得は、初期ランダムアクセスアップリンク送信電力が予め決定される場合には特に、ＭＣＳから推定することができる。
【０１１５】
ＲＡＣＨ応答に含まれる、基地局ＢＳ１のサービスエリアを求めることを可能にし得る情報は、上記の情報の組み合わせとすることができる。
【０１１６】
次のステップＳ３０７において、プロセッサ２００は変数ｉを１だけインクリメントする。
【０１１７】
次のステップＳ３０８において、プロセッサ２００は十分なＲＡＣＨ応答が検出されたか否かを調べる。たとえば、プロセッサ２００は、変数ｉが所定の値よりも大きいか否かを調べる。
【０１１８】
変数ｉが所定の値よりも大きい場合には、プロセッサ２００はステップＳ３０９に進む。そうでない場合には、プロセッサ２００はステップＳ３０４に戻る。
【０１１９】
ステップＳ３０９において、プロセッサ２００は、本発明による測定基準を計算する。
【０１２０】
検出されたランダムアクセス応答の数が十分に多いとき、すなわち、基地局ＢＳ１と移動端末ＭＴとの間の経路利得又は経路距離に関する統計値が十分であるとき、ホーム基地局ＨＢＳは、ホーム基地局ＨＢＳが構成した、基地局ＢＳ１と移動端末ＭＴとの間の経路利得又は経路距離の確率密度関数から、基地局ＢＳ１のサービスエリアを推定することができる。たとえば、経路利得の最小値又は距離の最大値を求めることができる。この値は、基地局ＢＳ１の最大サービスエリアを表す。
【０１２１】
ホーム基地局ＨＢＳは、基地局ＢＳ１からホーム基地局ＨＢＳまでの経路利得から、且つ基地局ＢＳ１のサービスエリアから測定基準を計算する。
【０１２２】
たとえば、測定基準は、タイミングアドバンス値を用いて求められる。タイミングアドバンス値は、１つのランダムアクセス応答において転送される。基地局ＢＳ１とホーム基地局ＨＢＳとの距離は、ステップＳ３０２において記憶されたタイミングアドバンス値を２で除算して、その値に光の伝搬速度を乗算することによって計算される。
【０１２３】
ランダムアクセス応答がステップＳ３０５において検出され、ホーム基地局ＨＢＳは、最も大きなタイミングアドバンス値を有する移動端末ＭＴに関して、ステップＳ３０６において記憶されたタイミングアドバンス値を２で除算して、その値に光の伝搬速度を乗算することによって、基地局ＢＳ１と移動端末ＭＴとの距離を計算することができる。
【０１２４】
サービスエリア、及び基地局ＢＳ１とホーム基地局ＨＢＳとの距離は、経路利得値に結び付けられる。たとえば、経路利得は、距離のα乗(the distance to the power alpha)に反比例する場合がある。αは伝搬モデルを表す。たとえば、αは２以上である。
【０１２５】
別の例では、測定基準は電力制御情報を用いて求められる。
【０１２６】
電力制御値は１つのランダムアクセス応答において転送される。基地局ＢＳ１とホーム基地局ＨＢＳとの経路利得は、ステップＳ３０２において記憶される電力制御値を用いて求められる。たとえば、経路利得は、電力制御値の逆数を取ることによって求めることができる。
【０１２７】
ランダムアクセス応答がステップＳ３０５において検出され、ホーム基地局ＨＢＳは、最も大きな電力制御値を有する移動端末ＭＴに関して、ステップＳ３０６において記憶される電力制御値を用いて、基地局ＢＳ１のサービスエリアを表す、基地局ＢＳ１と通信する移動端末ＭＴのための最小経路利得を求めることができる。ここで、シャドーイングがある場合、経路利得と距離との間に直接の関係はないので、サービスエリアは、最大距離ではなく最小経路利得を意図している。たとえば、経路利得は、電力制御値の逆数を取ることによって求めることができる。
【０１２８】
いずれの例においても、その後、測定基準は、基地局ＢＳ１とホーム基地局ＨＢＳとの経路利得、及び基地局ＢＳ１のサービスエリアに関連する経路利得に基づいて計算される。たとえば、測定基準は、基地局ＢＳ１とホーム基地局ＨＢＳとの経路利得を、基地局ＢＳ１のサービスエリアに関連する経路利得で除算した値に比例する。
【０１２９】
次のステップＳ３１０において、プロセッサ２００は、ホーム基地局ＨＢＳ送信電力、及び／又はホーム基地局ＨＢＳがサービス提供する全ての移動端末ＭＴの送信電力に制限を加える。その制限は、全送信電力に加えることができるが、全送信電力が限られた周波数資源に過度に集中するのを避けるために、Ｈｚ毎に行なうこともできる。ホーム基地局ＨＢＳがサービス提供する移動端末ＭＴは、最大送信電力が所与の値に制限されることを通知される。
【０１３０】
図４は、本発明による、ホーム基地局によって実行されるアルゴリズムの第２の例を開示する。
【０１３１】
より正確には、本アルゴリズムはホーム基地局ＨＢＳのプロセッサ２００によって実行される。
【０１３２】
本アルゴリズムは、ホーム基地局ＨＢＳが起動されるときに、若しくはコアネットワークが本アルゴリズムの実行を要求するときに実行される場合があるか、又は周期的に実行される。
【０１３３】
ホーム基地局ＨＢＳは、限られた移動端末ＭＴ送信及び受信機能を有し、それにより、ランダムアクセス手順を実行できるようにし、基地局ＢＳ１と接続されるようにし、ダウンリンクチャネルにおいてスケジューリングされたデータを有することができるようにする。
【０１３４】
ステップＳ４００において、プロセッサ２００は、ランダムアクセス手順を実行して割り当てられたＵＥＩＤを得るために、メッセージを基地局ＢＳ１に転送するように無線インターフェースに指示する。
【０１３５】
ランダムアクセス手順が完了すると、ホーム基地局ＨＢＳは、基地局ＢＳ１によって決定されたＵＥＩＤを受信する。
【０１３６】
次のステップＳ４０１において、プロセッサ２００は、基地局ＢＳ１によってホーム基地局ＨＢＳに転送された情報を得る。その情報によって、基地局ＢＳ１とホーム基地局ＨＢＳとの間の経路を求めることができるようになる場合がある。
【０１３７】
基地局ＢＳ１とホーム基地局ＨＢＳとの間の経路を求めることを可能にし得る情報は、たとえば、ホーム基地局に向けられるダウンリンクチャネルの資源である。
【０１３８】
たとえば、無線インターフェースは、ホーム基地局ＨＢＳに向けられる、制御チャネル要素と呼ばれる場合もある資源の数を検出する。ホーム基地局ＨＢＳが基地局ＢＳ１から離れているとき又はチャネル条件が低いとき、基地局ＢＳ１は、複数の制御チャネル要素を通じて、情報をホーム基地局に転送する。ホーム基地局ＨＢＳが基地局ＢＳ１に近いとき又はチャネル条件が高いとき、基地局ＢＳ１は、単一の制御チャネル要素を通じて、情報をホーム基地局に転送する。制御チャネル要素の数がいくつでも、同じ情報が送信されるので、スペクトル効率は制御チャネル要素の数と共に変化する。制御チャネル要素の数が多いほど、スペクトル効率は低い。
【０１３９】
基地局ＢＳ１とホーム基地局ＨＢＳとの間の経路を求めることを可能にし得る情報は、制御資源の中からブラインド検出(a blind detection)によって得られる場合がある。たとえば、制御情報は、ホーム基地局ＨＢＳのＵＥＩＤでマスクされる。
【０１４０】
基地局ＢＳ１とホーム基地局ＨＢＳとの間の経路を求めることを可能にし得る情報は、たとえば、ホーム基地局ＨＢＳに向けられない資源上の信号の受信電力の平均と比較される（に対する）、ホーム基地局ＨＢＳに向けられる資源上の信号の受信電力とすることができる。
【０１４１】
基地局ＢＳ１とホーム基地局ＨＢＳとの間の経路を求めることを可能にし得る情報は、ホーム基地局ＨＢＳに向けられる資源に含まれる場合があり、電力制御情報とすることができ、その情報は、メッセージが向けられるホーム基地局ＨＢＳがアップリンクチャネルにおいて基地局ＢＳ１に信号を転送するときに用いるべき電力を指示するか、又は基地局ＢＳ１がホーム基地局ＨＢＳに信号を転送したときに用いた電力を指示する場合がある。ホーム基地局ＨＢＳと基地局ＢＳ１との間の経路利得は、その指示及び電力制御情報から推定することができる。
【０１４２】
基地局ＢＳ１とホーム基地局ＨＢＳとの間の経路を求めることを可能にし得る情報は、ホーム基地局ＨＢＳに向けられる制御チャネル要素の数とすることができる。制御チャネル要素の数はスペクトル効率に対応するので、ホーム基地局ＨＢＳから基地局ＢＳ１への経路利得は、制御チャネル要素の数から推定することができる。
【０１４３】
基地局ＢＳ１とホーム基地局ＨＢＳとの間の経路を求めることを可能にし得る情報は、ホーム基地局に向けられる資源上で信号を転送するために用いられる変調及び符号化方式とすることができる。この変調及び符号化方式は、所定の異なる変調及び符号化方式の中からブラインド検出によって見つけることができる。
【０１４４】
基地局ＢＳ１とホーム基地局ＨＢＳとの間の経路を求めることを可能にし得る情報は、ホーム基地局ＨＢＳに向けられる資源に含まれる場合があり、変調及び符号化方式（ＭＣＳ）指示とすることができ、この指示は、ホーム基地局ＨＢＳによって転送されることになる次のアップリンクメッセージにおいて用いられるべきＭＣＳを指示するか、又は基地局ＢＳ１によってホーム基地局ＨＢＳに転送されたダウンリンクメッセージにおいて用いられたＭＣＳを指示する。ホーム基地局ＨＢＳから基地局ＢＳ１への経路利得は、ＭＣＳから推定することができる。
【０１４５】
基地局ＢＳ１とホーム基地局ＨＢＳとの間の経路を求めることを可能にし得る情報は、上記の情報の組み合わせとすることができる。
【０１４６】
基地局ＢＳ１は、無線リンクを通じてそのデータを転送する。
【０１４７】
その後、ホーム基地局ＨＢＳは、ＵＥとしての役割を果たすホーム基地局ＨＢＳに向けられるデータ伝送に対応する制御情報（許可）を読み取ることができる。アップリンク許可に対応する制御情報は、基地局ＢＳ１にスケジューリング要求を転送することによって、容易に入手することができる。しかしながら、ダウンリンク許可が好ましい場合がある。これは、サービスエリアが、ダウンリンク許可であるシステム情報に関する許可について得ることができるためである。たとえば、ホーム基地局ＨＢＳは、自らに向けられるデータを、そのネットワークインターフェース２０６を通じて基地局ＢＳ１に転送することによって、或る程度のトラフィックをシミュレートすることができる。
【０１４８】
次のステップＳ４０２において、プロセッサ２００は、ステップＳ４０１において得られた情報を記憶する。
【０１４９】
これらの情報のうちの少なくとも１つに基づいて、プロセッサ２００は、ステップＳ４０２において、基地局ＢＳ１とホーム基地局ＨＢＳとの間の経路利得を求める。
【０１５０】
その後、求められた経路利得は記憶される。
【０１５１】
次のステップＳ４０３において、プロセッサ２００は、システム情報に対応する制御情報が全ての移動端末ＭＴにブロードキャストされるか又は移動端末ＭＴにマルチキャストされるチャネル資源を走査するように、無線インターフェース２０５に指示する。
【０１５２】
次のステップＳ４０４において、プロセッサ４００は、システム情報に対応する制御情報が無線インターフェース２０５によって見つけられたか否かを調べる。システム情報に対応する制御情報は、基地局ＢＳ１のサービスエリアを表す。
【０１５３】
プロセッサ２００は、システム情報に対応する制御情報から情報を得る。
【０１５４】
情報は、たとえば、ホーム基地局に向けられる制御情報の資源である。
【０１５５】
たとえば、無線インターフェースは、システム情報に対応する制御情報を含む、制御チャネル要素と呼ばれる場合もある資源の数を検出する。基地局ＢＳ１のサービスエリアが長い距離又は低い経路利得に対応するとき、基地局ＢＳ１は、複数の制御チャネル要素を通じて、システム情報に対応する制御情報を転送する。基地局ＢＳ１のサービスエリアが短い距離又は高い経路利得に対応するとき、基地局ＢＳ１は、単一の制御チャネル要素を通じて、システム情報に対応する制御情報を転送する。制御チャネル要素の数がいくつでも、同じ情報が送信されるので、スペクトル効率は制御チャネル要素の数と共に変化する。制御チャネル要素の数が多いほど、スペクトル効率は低い。
【０１５６】
システム情報に対応する制御情報は、制御資源の中からブラインド検出によって得られる場合がある。たとえば、制御情報は特殊な識別子でマスクされ、その識別子は、システム無線ネットワーク一時識別子（system radio network temporary identifier）（Ｓ−ＲＮＴＩ）と呼ばれる場合がある。情報は、たとえば、システム情報に対応する制御情報をブロードキャストするために用いられない資源上の信号の受信電力の平均と比較される（に対する）、システム情報に対応する制御情報をブロードキャストするために用いられる資源上の信号の受信電力とすることができる。
【０１５７】
情報は、システム情報に対応する制御情報を含む資源に含まれる場合があり、電力制御情報とすることができ、その情報は、基地局ＢＳ１がシステム情報をブロードキャストしたときに用いた電力を指示する。基地局ＢＳ１のサービスエリアに対応する、最小経路利得又は最大距離は、その指示から推定することができる。
【０１５８】
情報は、システム情報に対応する制御情報を含む制御チャネル要素の数とすることができる。制御チャネル要素の数はスペクトル効率に対応するので、基地局ＢＳ１のサービスエリアに対応する、最小経路利得又は最大距離は、その指示から推定することができる。
【０１５９】
情報は、システム情報に対応する制御情報を転送するために用いられる変調及び符号化方式とすることができる。この変調及び符号化方式は、異なる所定の変調及び符号化方式の中からブラインド検出によって見つけることができる。
【０１６０】
情報は、システム情報に対応する制御情報を含む資源に含まれる場合があり、変調及び符号化方式（ＭＣＳ）指示とすることができ、この提示は、システム情報をブロードキャストするために用いられたＭＣＳを指示する。基地局ＢＳ１のサービスエリアに対応する、最小経路利得又は最大距離は、その指示から推定することができる。
【０１６１】
その情報は、上記の情報の組み合わせとすることができる。
【０１６２】
システム情報に対応する制御情報が無線インターフェース２０５によって見つけられた場合には、プロセッサ２００はステップＳ４０５に進む。そうでない場合には、プロセッサ２００はステップＳ４０３に戻る。
【０１６３】
ステップＳ４０５において、プロセッサ２００は、ステップＳ４０３において検出された制御情報を記憶する。
【０１６４】
これらの情報は、セルＡＲ１境界付近にあるか若しくはさらに遠くにある移動端末、又は強いシャドーイングに起因して経路利得が非常に低い移動端末を含む全ての移動端末ＭＴに向けられるので、制御及び／又はデータの変調及び符号化方式並びに電力制御が基地局ＢＳ１のサービスエリアに従って設定される。ステップＳ４０３において検出された制御情報から、ホーム基地局ＨＢＳは、基地局ＢＳ１のサービスエリア、すなわち、基地局ＢＳ１によってサービス提供される移動端末ＭＴと基地局ＢＳ１との間の最長距離又は最小経路利得を求めることができる。
【０１６５】
次のステップＳ４０６において、プロセッサ２００は、ステップＳ４０２及びＳ４０５において記憶された情報から測定基準を計算する。
【０１６６】
たとえば、符号化率及び変調方式、それゆえスペクトル効率は、データ若しくは制御伝送のための変調及び符号化方式、又は制御情報のための資源の数から推定することができる。ステップＳ４０３又はステップＳ４０２において得られるスペクトル効率は、経路利得に関連する。スペクトル効率が高いほど、経路利得は高い。したがって、ステップＳ４０２において得られるＭＣＳ又は資源の数、及びステップＳ４０３において得られるＭＣＳは、測定基準を導出するために使用され得る。
【０１６７】
ＵＥ毎の、又はシステム情報に関する制御情報の送信電力は、異なる場合がある。したがって、ステップＳ４０２において得られるホーム基地局ＨＢＳに関する制御情報の電力、及びステップＳ４０３において得られる制御情報の電力は、測定基準を導出するために使用され得る。
【０１６８】
さらに、ステップＳ４０３において検出された制御情報の受信電力に対する、ステップＳ４０２における制御情報の相対的な受信電力は、測定基準を導出するために使用され得る。
【０１６９】
次のステップＳ４７０において、プロセッサ２００は、ホーム基地局ＨＢＳ送信電力に対して、且つ／又はホーム基地局ＨＢＳがサービス提供する全ての移動端末ＭＴの送信電力に対して制限を加える。その制限は全送信電力に加えることができるが、全送信電力が限られた周波数資源に過度に集中するのを避けるために、Ｈｚ毎に行なうこともできる。ホーム基地局ＨＢＳがサービス提供する移動端末ＭＴは、最大送信電力が所与の値に制限されることを通知される。
【０１７０】
ここで、１つの変形形態では、図３のステップＳ３０３〜Ｓ３０９は、図４のステップＳ４０３〜Ｓ４０６によって置き換えられてもよいことに留意されたい。
【０１７１】
別の変形形態では、図４のステップＳ４０３〜Ｓ４０６は、図３のステップＳ３０３〜Ｓ３０９によって置き換えられてもよい。
【０１７２】
当然、本発明の範囲から逸脱することなく、上記の本発明の実施形態に対して数多くの変更を加えることができる。
【図１】
2010183572.tif 000003
【図２】
2010183572.tif 000004
【図３】
2010183572.tif 000005
【図４】
2010183572.tif 000006
【外国語明細書】
2010183572.tif 000007
2010183572.tif 000008
2010183572.tif 000009
2010183572.tif 000010
2010183572.tif 000011
2010183572.tif 000012
2010183572.tif 000013
2010183572.tif 000014
2010183572.tif 000015
2010183572.tif 000016
2010183572.tif 000017
2010183572.tif 000018
2010183572.tif 000019
2010183572.tif 000020
2010183572.tif 000021
2010183572.tif 000022
2010183572.tif 000023
2010183572.tif 000024
2010183572.tif 000025
2010183572.tif 000026
2010183572.tif 000027
2010183572.tif 000028
2010183572.tif 000029
2010183572.tif 000030
2010183572.tif 000031
2010183572.tif 000032
2010183572.tif 000033
2010183572.tif 000034
2010183572.tif 000035
2010183572.tif 000036
2010183572.tif 000037
2010183572.tif 000038
2010183572.tif 000039
2010183572.tif 000040